(57)【要約】【課題】目的地までの経路とその途中にある各広告対象物の優先度とを連動させ、広告主により有利な経路案内を行うことのできる、新しいナビゲーション装置を提供する。【解決手段】目的地への経路案内を行うナビゲーション装置において、目的地への複数の経路を導出する経路導出手段（１）と、広告対象物の選択優先度を記憶する優先度記憶手段（２）と、優先度記憶手段（２）から読み出した各広告対象物の選択優先度に基づき、経路導出手段（１）によって導出された複数の経路のなかから、最も高い選択優先度を有する広告対象物の近傍を通る経路を選択する経路選択手段（３）とを具備させる。【選択図】  図１
2004309308.tif 000002
【特許請求の範囲】
【請求項１】
目的地への経路案内を行うナビゲーション装置であって、
目的地への複数の経路を導出する経路導出手段と、
広告対象物の選択優先度を記憶する優先度記憶手段と、
優先度記憶手段から読み出した各広告対象物の選択優先度に基づき、経路導出手段によって導出された複数の経路のなかから、最も高い選択優先度を有する広告対象物の近傍を通る経路を選択する経路選択手段と、
を備えたことを特徴とするナビゲーション装置。
【請求項２】
優先度記憶手段は、広告対象物の優先度データベースを予め記憶していることを特徴とする請求項１記載のナビゲーション装置。
【請求項３】
外部から送信されてくる広告対象物の選択優先度を受信する優先度受信手段をさらに備え、優先度記憶手段は、優先度受信手段により受信された広告対象物の選択優先度を記憶することを特徴とする請求項１記載のナビゲーション装置。
【請求項４】
広告対象物の選択優先度は、各広告対象物の広告主が支払う広告料に従った順位であることを特徴とする請求項１記載のナビゲーション装置。
【発明の詳細な説明】
【０００１】
【発明の属する技術分野】
この出願の発明は、ナビゲーション装置に関するものである。さらに詳しくは、この出願の発明は、目的地までの経路とその途中にある広告対象物とを連動させた経路案内を行うことのできる、新しいナビゲーション装置に関するものである。
【０００２】
【従来の技術】
従来、現在地から所望の目的地までの経路を案内する車載型や携帯型等のナビゲーション装置が知られており、これにおいて、現在地、目的地、経路などを表示するディスプレイに広告情報をも表示するものや、単に広告情報を表示するだけではなく広告情報に基づいて経路設定するものが各種提案されている（たとえば特許文献１〜５参照）。
【０００３】
【特許文献１】
特開２００１−９１２９２号公報
【特許文献２】
特開２００２−３９７７４号公報
【特許文献３】
特開２００２−１３１０６５号公報
【特許文献４】
特開２００２−１５０１２４号公報
【特許文献５】
特開２００２−２１３９７６号公報
【０００４】
【発明が解決しようとする課題】
しかしながら、これら従来のナビゲーション装置はいずれも、装置ユーザを主体とした経路案内を行うものであり、広告料を支払っている広告主に有利な経路案内を行うようにはなっていない。
【０００５】
一般に新聞、雑誌、テレビ、ラジオなどの各種広告媒体の場合、広告主は広告料を払って広告枠を買うのであるが、その金額は千差万別であって、たとえばテレビでは金額に応じてどの時間帯に何秒のＣＭを何本流すかなどが決められる。すなわち広告料に応じて優先度が決まるのである。これと同様に、ナビゲーション装置にて広告情報を表示させる場合も当然、広告主は広告料を支払う必要があり、その金額にも差が生じると考えられるが、上記従来のナビゲーション装置には、広告料を考慮して優先度を設け、広告主に有利な経路案内を行うものは存在しない。
【０００６】
そこで、この出願の発明は、以上のとおりの事情に鑑み、目的地までの経路とその途中にある各広告対象物の優先度とを連動させ、広告主により有利な経路案内を行うことのできる、新しいナビゲーション装置を提供することを課題としている。
【０００７】
【課題を解決するための手段】
この出願の発明は、上記の課題を解決するものとして、第１には、図１にその機能ブロック図を例示したような、目的地への経路案内を行うナビゲーション装置であって、目的地への複数の経路を導出する経路導出手段（１）と、広告対象物の選択優先度を記憶する優先度記憶手段（２）と、優先度記憶手段（２）から読み出した各広告対象物の選択優先度に基づき、経路導出手段（１）によって導出された複数の経路のなかから、最も高い選択優先度を有する広告対象物の近傍を通る経路を選択する経路選択手段（３）と、を備えたことを特徴とするナビゲーション装置を提供する。
【０００８】
またこの出願の発明は、第２には、図１にその機能ブロック図を例示したような、前記優先度記憶手段（２）は、広告対象物の優先度データベース（２１）を予め記憶していることを特徴とするナビゲーション装置、第３には、図１にその機能ブロック図を例示したような、外部から送信されてくる広告対象物の選択優先度を受信する優先度受信手段（４）をさらに備え、前記優先度記憶手段（２）は、優先度受信手段（４）により受信された広告対象物の選択優先度を記憶することを特徴とするナビゲーション装置、第４には、前記広告対象物の選択優先度は、各広告対象物の広告主が支払う広告料に従った順位であることを特徴とするナビゲーション装置を提供する。
【０００９】
【発明の実施の形態】
図１は、この出願の発明の一実施形態を示したものである。
【００１０】
本実施形態では、上記経路導出手段（１）として、位置検出部（１０１）によりＧＰＳ（Ｇｌｏｂａｌ  Ｐｏｓｉｔｉｏｎｉｎｇ  Ｓｙｓｔｅｍ）やジャイロセンサ等を用いて求められた現在位置もしくは出発地入力部（１０２）により任意に入力設定された出発位置から、目的地入力部（１０３）により任意に入力設定された目的位置までの少なくとも二つ以上の経路を、地図データメモリ（１０４）に予め記憶されている地図データを読み出しそれに基づいて算出する経路算出回路（１００）を備え、上記優先度記憶手段（２）として、広告対象物毎に予め設定されている選択優先度を記憶した上記優先度データベース（２１）に相当する広告対象物データベース（２０１）を有する広告対象物データメモリ（２００）を備え、上記経路選択手段（３）として、広告対象物データメモリ（２００）の広告対象物データベース（２０１）から読み出した各広告対象物の選択優先度に基づき、経路算出回路（１００）により算出された複数の経路のなかから、最も高い選択優先度を有する広告対象物の近傍を通る経路を選択する経路選択回路（３００）を備えている。
【００１１】
広告対象物データメモリ（２００）の広告対象物データベース（２０１）は、より具体的には、各広告対象物の選択優先度データとともに、それぞれの緯度経度データや各種広告データを有している。選択優先度データは、広告対象物の広告主が支払う広告料に従った順位であり、広告料が高いほど順位が高く、高い優先度が与えられる。緯度経度データは、広告主が宣伝したい各種お店や施設などの広告対象物が存在する緯度経度である。広告データは、広告対象物に関する各種広告情報である。これらのデータは、予め記憶されていたり、外部のデータセンタやデータサーバ等（図示なし）から無線送信されてくる最新データを受信して書換えられたりする。
【００１２】
経路選択回路（３００）は、より具体的には、広告対象物データベース（２０１）から読み出した各広告対象物の緯度経度データと経路算出回路（１００）により算出された各経路が通る緯度経度データとを緯度経度比較部（３０１）により比較し、得られた緯度経度差が所定の差範囲に納まる広告対象物、つまり緯度経度データが各経路を中心に設定される所定の緯度経度領域内にある広告対象物、を広告対象物選択部（３０２）により選択し、その広告対象物が複数ある場合にその中で最も高い選択優先度を有するものを最高広告対象物選択部（３０３）によりさらに選択し、そしてその最も高い選択優先度を有する広告対象物の緯度経度データと各経路の緯度経度データを再び緯度経度比較部（３０１）により比較し、得られた緯度経度差が最も少ない経路を第一経路として経路選択部（３０４）により選択する。後は、これを表示手段としてのディスプレイ（５００）に表示させる。
【００１３】
図３は一具体例を示したものであり、現在地を「東京都江東区青海２−４１−６  産業技術総合研究所臨界副都心センター  緯度：北緯３５°３７′  経度：東経１３７°４６′」、目的地を「茨城県つくば市梅園１−１−１中央第２  産業技術総合研究所つくばセンター  緯度：北緯３６°１０′  経度：東経１４０°１′」とし、それらを結ぶ２つの経路Ｉ，ＩＩが算出され、経路Ｉ，ＩＩそれぞれを中心に所定の面積を有する緯度経度領域Ｘが経路Ｉ，ＩＩに沿って設定され、予め登録されている広告対象物Ａ〜Ｇのうちで緯度経度領域Ｘ内に存在するものは広告対象物Ｂ，Ｃ，Ｆ，Ｇであり、これら広告対象物Ｂ，Ｃ，Ｆ，Ｇのうちで最も高い選択優先度つまり最も高い広告料が支払われているものを広告対象物Ｂとした場合、広告対象物Ｂを通る経路Ｉが自動的に第一経路として選択されて表示され、ユーザはこの第一経路に沿って案内される。これにより、ユーザは広告対象物Ｂの近くを通ることになり、広告対象物Ｂの広告主は最も高い広告料の支払いに見合う広告効果が得られるのである。
【００１４】
もちろんことのとき、経路ＩＩも第二経路として表示し、ユーザが任意に経路選択可能に構成しておいてもよく、これによればユーザの選択権も確保でき、広告料が２番目以降の広告対象物の広告主も十分に広告効果を得ることができる。
【００１５】
以上によれば、目的地までの経路とその途中にある各広告対象物の選択優先度とを連動させ、自動的に最も高い選択優先度を有する広告対象物の近くを通るように経路案内を行うことができる。
なお、この選択優先度としては、例えば、経路選択において、その選択された複数の経路の中から利用者に提供する経路を選択する際に、より高い広告料を提示している経路の選択を確率的に向上させる方法が考えられる。このような優先度を設定し、利用者に経路提示をすることで経路誘導の可能な広告付ナビゲーションシステムを実現できるようになる。
【００１６】
確率的向上方法としては、より具体的には、たとえば図４に例示したように、青海、つくば間において自動車を操縦し移動する場合、青海、木場、三郷、桜土浦、つくばという経路Ａと青海、池袋、岩槻、野田、つくばという経路Ｂが考えられるとする。
【００１７】
経路Ａにおいては、木場の近隣にある「月島のもんじゃ焼き」、三郷にある「三郷のうなぎ」の宣伝が考えられ、経路Ｂにおいては岩槻にある「岩槻の人形」、野田にある「野田の醤油」が考えられたとする。それぞれ、複数社が宣伝を実施する場合、青海、つくば間での広告を１００％とし、広告料金を１００万円とした場合、岩槻の会社から３０万、野田の会社から４０万、月島の会社から２０万、三郷の会社から１０万、と広告料金が徴収できたとすると、実際に広告が実施される確率は、経路Ａが３０％、経路Ｂが７０％の割合となり、この確率に基づいて広告が実施され経路誘導される。
【００１８】
また、これらの広告は、岩槻を中心とした区間においての宣伝を１００とし、全体の広告料金を１００万円とした場合、広告実施確率に応じて、Ａ社６０％で６０万円、Ｂ社４０％で４０万円として広告料金を徴収してもよい。この際、青海からつくばへ向かう利用者に対しては、岩槻の広告を池袋から岩槻の区間、つくばから青海に向かう利用者に対しては野田、岩槻の区間において宣伝を実施してもよい。また、該当区間を過ぎた場合であっても、Ｕターンの指示を踏まえた広告を実施してもよい。
【００１９】
以上のこの出願の発明のナビゲーション装置は、たとえば、車やオートバイ等の移動体に搭載されたり、携帯電話や携帯端末等の携帯機器に搭載されたり、時計やペンダント等の装身具などに組み込まれたりしてもよい。あるいは、既存のナビゲーション装置にプログラム機能として組み込むこともできる。
【００２０】
もちろん、この出願の発明は以上の実施形態に限定されるものではなく、優先度の指定や経路選択の細部については様々な態様が可能である。
【００２１】
【発明の効果】
以上詳しく説明したとおり、この出願の発明によって、目的地までの経路とその途中にある各広告対象物の優先度とを連動させ、広告主により有利な経路案内を行うことのできる、新しいナビゲーション装置が提供される。
【図面の簡単な説明】
【図１】この出願の発明を説明するための機能ブロック図である。
【図２】この出願の発明の一実施形態を示した図である。
【図３】この出願の発明の一具体例を示した図である。
【図４】この出願の発明の一具体例を示した図である。
【符号の説明】
１  経路導出手段
２  優先度記憶手段
２１  優先度データベース
３  経路選択手段
４  優先度受信手段
１００  経路算出回路
１０１  位置検出部
１０２  出発地入力部
１０３  目的地入力部
１０４  地図データメモリ
２００  広告対象物データメモリ
２０１  広告対象物データベース
３００  経路選択回路
３０１  緯度経度比較部
３０２  広告対象物比較部
３０３  最高広告対象物選択部
３０４  経路選択部
４００  広告対象物データ受信回路
５００  ディスプレイ
【図１】
2004309308.tif 000003
【図２】
2004309308.tif 000004
【図３】
2004309308.tif 000005
【図４】
2004309308.tif 000006